(57)【要約】【課題】被空調室を効果的に殺菌することのできる空調システムを提供する。【解決手段】空調システム１０は、病室１２の側壁１２Ｂと平行にパネル３０が取り付けられる。パネル３０の下部には、排気口３２が形成され、この排気口３２に殺菌灯３４が設けられる。殺菌灯３４は、病室１２の床面１２Ｃに紫外線を照射するとともに、二重壁内部４２に設置されたＨＥＰＡフィルタ３６に紫外線を照射する。【選択図】  図１
2004245490.tif 000002
【特許請求の範囲】
【請求項１】
被空調室のエアを排気する排気口を有する空調システムにおいて、
前記排気口を前記被空調室の側面の下部に設けるとともに、該排気口に紫外線照射手段を設けることにより、前記被空調室の床面に紫外線を照射することを特徴とする空調システム。
【請求項２】
前記排気口から排気されるエアの流路にエアフィルタを設け、該エアフィルタに前記紫外線照射手段から紫外線を照射することを特徴とする請求項１に記載の空調システム。
【請求項３】
前記被空調室の側面が二重壁で構成され、該二重壁の内部に、前記排気口から排気されたエアの流路が形成されることを特徴とする請求項１または２に記載の空調システム。
【請求項４】
前記二重壁の表面に医療用コンセントが設けられ、該医療用コンセントに接続される各種ラインが前記二重壁の内部に配設されることを特徴とする請求項３に記載の空調システム。
【発明の詳細な説明】
【０００１】
【発明の属する技術分野】
本発明は空調システムに係り、特に病院、食品工場、製薬工場などの空調システムに関する。
【０００２】
【従来の技術】
病院の空調システムでは院内感染を防止するために、殺菌したエアを病室や手術室に給気している。例えば、特許文献１に記載される空調システムは、被空調室に繋がる給気ダクトに殺菌灯を設け、この殺菌灯から給気ダクト内に紫外線を照射することにより、給気ダクトを流れるエアを殺菌している。
【０００３】
【特許文献１】
特開平１１−１４１３０号公報
【０００４】
【発明が解決しようとする課題】
しかしながら、上述した空調システムは、紫外線の照射範囲を通過する一瞬だけしか殺菌が行われないため、十分な殺菌効果が得られないという問題があった。
【０００５】
また、上述した空調システムは、被空調室内で細菌が発生した際に、細菌が被空調室の内部に滞留し、増殖するという問題があった。
【０００６】
さらに、上述した空調システムは、殺菌灯の取付作業や交換作業が非常に煩雑であるという問題があった。
【０００７】
本発明はこのような事情に鑑みて成されたもので、被空調室を効果的に殺菌することのできる空調システムを提供することを目的とする。
【０００８】
【課題を解決する為の手段】
請求項１に記載の発明は前記目的を達成するために、被空調室のエアを排気する排気口を有する空調システムにおいて、前記排気口を前記被空調室の側面の下部に設けるとともに、該排気口に紫外線照射手段を設けることにより、前記被空調室の床面に紫外線を照射することを特徴としている。
【０００９】
本発明によれば、紫外線照射手段を設けて被空調室の床面に紫外線を照射するようにしたので、床面に滞留する細菌は紫外線に十分な時間、照射されて殺菌される。したがって、被空調室の内部に細菌が滞留し、増殖することを防止できる。
【００１０】
また、本発明によれば、紫外線照射手段を排気口に設けたので、床面に沿って排気口に流れるエアに紫外線が照射される。したがって、排気口から排気される排気エアを殺菌することができる。
【００１１】
また、本発明によれば、紫外線照射手段を排気口に設けたので、紫外線照射手段の取付作業やメンテナンスを容易に行うことができる。
【００１２】
請求項２に記載の発明によれば、前記排気口から排気されるエアの流路にエアフィルタを設け、該エアフィルタに前記紫外線照射手段から紫外線を照射することを特徴としている。したがって、本発明によれば、エアフィルタが紫外線によって殺菌されるので、エアフィルタで補集した細菌が増殖することを防止できる。
【００１３】
請求項３に記載の発明によれば、前記被空調室の側面が二重壁で構成され、該二重壁の内部に、前記排気口から排気されたエアの流路が形成されることを特徴としている。したがって、本発明によれば、既存の被空調室の側面を二重壁とすることで簡単に、紫外線照射手段やエアフィルタを取り付けることができる。
【００１４】
請求項４に記載の発明によれば、前記二重壁の表面に医療用コンセントが設けられ、該医療用コンセントに接続される各種ラインが前記二重壁の内部に配設されることを特徴としている。したがって、本発明によれば、医療用コンセントを既存の被空調室に簡単に取り付けることができる。また、医療用コンセントに接続される各種ラインを二重壁の内部に収納したので、外観の面でも優れている。ここで、医療用コンセントとは、酸素や空気を供給するためのコネクタ、電源（通常用、非常用、医療機器用）、ナースコール、ＴＶ・ＴＥＬ・照明などのコネクタのうちの少なくともいずれか一つを備えたものであり、各種ラインとは医療用コネクタに接続される酸素供給ライン、空気供給ライン、電源コード、通信線などである。
【００１５】
【発明の実施の形態】
以下添付図面に従って、本発明に係る空調システムの好ましい実施の形態について詳説する。
【００１６】
図１は、本発明に係る空調システムの構成を示す側面図である。同図に示す空調システム１０は、病院の感染症病室（以下、病室という）１２を空調する空調システムである。
【００１７】
病室１２の中央部には、ベッド１４が設置される。ベッド１４の周囲は、カーテン１６が必要に応じて設けられ、このカーテン１６によってベッド１４が周囲から仕切られる。
【００１８】
病室１２の天井面１２Ａには、カーテン１６の外側となる位置に、給気口１８が設けられる。給気口１８は、給気ダクト２０を介して中性能フィルタ２４に接続され、さらに空調機２２に接続される。空調機２２は、外気取り入れダクト２６から外気エアを取り入れたり、或いは、排気ダクト２８から排気エアを吸引したりすると、これらのエアの温湿度を調節し、給気ダクト２０に送気する。送気されたエアは、中性能フィルタ２４によって細菌が補集された後、給気口１８から病室１２に吹き出される。なお、より高い無菌状態が要求される被空調室（例えば無菌室や手術室など）の場合には、給気口１８にＨＥＰＡフィルタを設置するとよい。
【００１９】
病室１２の側面のうち、図１中、左側の側面は、二重壁構造になっている。すなわち、パネル３０が側壁１２Ｂに対して所定の間隔をあけて平行に取り付けられている。パネル３０と側壁１２Ｂとの間（以下、二重壁内部４２という）は、天井面１２Ａにおいて排気ダクト２８に連通される。
【００２０】
パネル３０の下端は開口され、排気口３２が形成されている。これにより、二重壁内部４２と病室１２とが排気口３２を介して連通される。したがって、空調機２２を駆動させると、病室１２の内部エアは、排気口３２を介して二重壁内部４２に吸い込まれ、この二重壁内部４２を上昇した後、排気ダクト２８を介して空調機２２に導入される。これにより、病室１２内のエアが空調機２２と病室１２とを循環するので、病室１２内を所定の温湿度に調節することができる。なお、排気口３２から排気される排気エアの一部は、不図示のダクトを介して外部に排気される。
【００２１】
二重壁内部４２には、殺菌灯（紫外線照射手段に相当）３４とＨＥＰＡフィルタ（エアフィルタに相当）３６が設けられる。殺菌灯３４は、排気口３２の位置に設けられており、この殺菌灯３４の上方にＨＥＰＡフィルタ３６が斜めに設置されている。このＨＥＰＡフィルタ３６によって、二重壁内部４２を流れるエア中に飛散する細菌やダストが補集される。
【００２２】
殺菌灯３４は、排気口３２を介して病室１２の床面１２Ｃに紫外線を照射するとともに、ＨＥＰＡフィルタ３６に紫外線を照射する。また、殺菌灯３４は、カーテン１６による仕切り内に人がいない時に間欠的に紫外線を照射する。なお、カーテン１６の仕切り内の人の存在を感知するセンサ（不図示）を設け、このセンサが人の存在を感知しない時にのみ紫外線を自動的に照射するようにしてもよい。また、病室１２の床面１２Ｃに照射する紫外線の照射線量を適正化するため、排気口３２にパンチングプレート（不図示）などの光量調節手段を設置してもよい。
【００２３】
パネル３０には、ベッド１４よりも高い位置に医療用コンセント３８が取り付けられている。医療用コンセント３８には、酸素や空気を供給するためのコネクタ、電源（通常用、非常用、医療機器用）、ナースコール、ＴＶ・ＴＥＬ・照明用のコネクタなどが設けられている。この医療用コンセントに接続される各種ライン（すなわち、酸素供給ライン、空気供給ライン、電源コード、通信ケーブルなど）４０は二重壁内部４２に収納される。
【００２４】
次に上記の如く構成された空調システム１０の作用について説明する。
【００２５】
空調機２２を駆動することによって、病室１２の内部エアが病室１２と空調機２２とを循環し、空調機２２によって温湿度が調節される。同時に、エア中の細菌がＨＥＰＡフィルタ３６及び中性能フィルタ２４によって補集され、病室１２には無菌エアが給気される。
【００２６】
ところで、病室１２内に細菌発生源（例えば患者など）が存在すると、病室１２内で細菌が発生し、エア中に細菌が飛散する。飛散した細菌の大部分は、上述したようにエアの循環時にＨＥＰＡフィルタ３６及び中性能フィルタ２４に補集される。しかし、カーテン１６によってベッド１４の周囲を仕切ったり、或いは給気エアの風量を減少させたりした際、病室１２の内部にエアの滞留域が形成されるため、細菌の一部は排気されずに病室１２内に滞留する。このため、従来の病室では、病室１２内に滞留する細菌が時間とともに沈降し、床面１２Ｃで増殖するおそれがあった。
【００２７】
これを防止するため、本実施の形態では、殺菌灯３４を設けて床面１２Ｃに紫外線を照射している。細菌の滞留域である床面１２Ｃに紫外線を照射することによって、病室１２内の細菌は紫外線が十分な時間照射される。これにより、十分な殺菌効果を得ることができ、病室１２内で細菌が増殖することを確実に防止できる。
【００２８】
また、紫外線を排気口３２を介して床面１２Ｃに照射しているので、床面１２Ｃに沿って排気口３２に流れるエアにも紫外線が十分に照射される。したがって、排気口３２から排気されるエアを十分に殺菌することができる。これにより、ＨＥＰＡフィルタ３６に補集される細菌の数を減らすことができる。
【００２９】
また、本実施の形態によれば、殺菌灯３４の上方にＨＥＰＡフィルタ３６を設けたので、ＨＥＰＡフィルタ３６も紫外線が照射されて殺菌される。これにより、ＨＥＰＡフィルタ３６で補集した細菌が増殖することを防止できる。
【００３０】
また、本実施の形態によれば、排気口３２の位置に殺菌灯３４を設けたので、殺菌灯３４の交換作業を容易に行うことができる。
【００３１】
さらに、本実施の形態では、パネル３０を取り付けることによって、病室１２の側面１２Ｂを二重壁にしたので、既存の（二重壁でない）病室１２にも簡単に本発明を適用することができる。また、病室１２の側面１２Ｂを二重壁構造としたことによって、医療用コンセント３８を簡単に据え付けることができる。特に本実施の形態ではパネル３０に医療用コンセント３８と各種ライン４０を一体としたコンソウォールユニットを工場加工することにより、病室１２での設置作業を容易にすることができる。
【００３２】
なお、上述した実施の形態は、紫外線を床面１２ＣとＨＥＰＡフィルタ３６の両方に同時に照射するようにしたが、どちらか一方に照射するようにしてもよい。例えば、図２に示すように、殺菌灯３４の周囲に集光板４４を設け、この集光板４４によって紫外線の照射方向を調節するようにしてもよい。図２に示す集光板４４は、殺菌灯３４を中心に揺動自在に設けられており、実線で示す位置と二点鎖線で示す位置に配置することができる。実線で示す位置に配置した際、紫外線は床面１２Ｃに向けて集光され、二点鎖線で示す位置に配置した際は、ＨＥＰＡフィルタ３６に向けて紫外線が集光される。これにより、床面１２ＣとＨＥＰＡフィルタ３６の一方に紫外線を集中して照射することができる。
【００３３】
図３に示すように、排気口３２にルーバ４６を設け、このルーバ４６によって、床面１２Ｃへの紫外線照射のＯＮ／ＯＦＦを切り替えるようにしてもよい。図３に示したルーバ４６は、複数枚の羽根板４８が水平な軸５０を中心に揺動自在に取り付けられている。そして、羽根板４８を図３に示す位置に固定することによって、床面１２Ｃへの紫外線照射が停止する。これにより、ＨＥＰＡフィルタ３６にのみ紫外線を照射することができる。また、羽根板４８を図３の位置から時計回りに略９０°回転させることによって、紫外線を床面１２Ｃに照射することができる。さらに、その間の角度で羽根板４８の位置を調節することによって、紫外線の照射方向を調節することもできる。
【００３４】
また、図４に示すように、排気口３２の上縁部に設けたケース５２に殺菌灯３４を収納してもよい。この場合、ケース５２の前面に石英ガラス５２Ａを配設し、この石英ガラス５２Ａを介して紫外線を床面１２Ｃに照射することが好ましい。さらに、ケース５２の上面に石英ガラス５２Ｂを配設し、この石英ガラス５２Ｂを介してＨＥＰＡフィルタ３６に紫外線を照射することが好ましい。このようなケース５２に殺菌灯３４を収納すると、殺菌灯３４に埃等が付着することを防止できる。また、石英ガラス５２Ａ、５２Ｂは紫外線を吸収しないので、ＨＥＰＡフィルタ３６と床面１２Ｃを紫外線によって確実に殺菌することができる。
【００３５】
また、図５に示すように、ケース５４の前面にルーバ５４Ａを設けてもよい。このルーバ５４Ａによって、床面１２Ｃへの紫外線の照射のＯＮ／ＯＦＦを切り替えることができる。その際、排気口３２から排気されるエアの風量が変化しないので、エアの除塵性能に影響することがない。
【００３６】
なお、図１に示した空調システム１０において、パネル３０の上部に小さな開口を設け、この開口からエアを小風量で二重壁内部４２に吸引するようにしてもよい。これにより、病室１２の天井面１２Ａ付近にエアの滞留域が形成されることを防止できる。したがって、病室１２の清浄度を向上させることができる。
【００３７】
また、二重壁内部４２の上部に殺菌灯を設け、この殺菌灯から、パネル３０の上部の開口を介して病室１２の天井面１２Ａに紫外線を照射するとよい。これにより、天井面１２Ａを殺菌することができるとともに、開口から吸引されるエアを紫外線で殺菌することができる。
【００３８】
なお、上述した実施の形態は、病室１２の側面の一面のみを二重壁としたが、これに限定するものではなく、対向する一対の側面を上述した二重壁としたり、或いは、全ての側面を二重壁としてもよい。
【００３９】
また、上述した実施の形態は、病室１２の側面を二重壁にしたが、これに限定するものではない。例えば、図６に示すように、病室１２の壁面１２Ｂに排気口６０が形成され、この排気口６０にダクト５６が接続されていた場合、ダクト５６の内部に殺菌灯３４とＨＥＰＡフィルタ３６を設け、排気口６０にルーバ５２を設けてもよい。この場合にも、殺菌灯３４から床面１２ＣとＨＥＰＡフィルタ３６に紫外線を照射することによって、上述した実施の形態と同様の効果を得ることができる。
【００４０】
また、本発明の用途は、病室用の空調システムに限定されるものではなく、食品工場など、被空調室に無菌エアを給気することが必要な空調システムに適用することができる。さらに、化学プラントなど、排気エアを無菌化することが必要な空調システムにも適用することもできる。
【００４１】
【発明の効果】
以上説明したように本発明に係る空調システムによれば、被空調室の排気口に紫外線照射手段を設けて被空調室の床面に紫外線を照射するようにしたので、被空調室の内部と排気口から排気されるエアの両方を十分に殺菌することができる。これにより、被空調室の内部で細菌が増殖することを防止できるとともに、被空調室の排気エアを無菌化することができる。
【図面の簡単な説明】
【図１】本発明に係る空調システムの構造を示す縦断面図
【図２】集光板付きの殺菌灯を示す縦断面図
【図３】ルーバ付きの排気口を示す縦断面図
【図４】ケースに収納した殺菌灯を示す縦断面図
【図５】図４と異なるケースを示す縦断面図
【図６】壁面構造の異なる病室の例を示す縦断面図
【符号の説明】
１０…空調システム、１２…病室、１４…ベッド、１６…カーテン、１８…給気口、２０…給気ダクト、２２…空調機、２４…中性能フィルタ、２６…外気取り入れダクト、２８…排気ダクト、３０…パネル、３２…排気口、３４…殺菌灯、３６…ＨＥＰＡフィルタ、３８…医療用コンセント、４０…ライン、４２…二重壁内部、４４…集光板、４６…ルーバ、４８…羽根板、５０…軸、５２…ケース、５２Ａ、５２Ｂ…石英ガラス、５４…ケース、５４Ａ…ルーバ、５４Ｂ…石英ガラス、５６…排気ダクト
【図１】
2004245490.tif 000003
【図２】
2004245490.tif 000004
【図３】
2004245490.tif 000005
【図４】
2004245490.tif 000006
【図５】
2004245490.tif 000007
【図６】
2004245490.tif 000008